(57)【要約】【課題】収納装置が前後だけでなく左右に揺れた場合にも敏感に反応して，収納物の落下を防止すること及び，それを少ない構成要素で達成することのできる収納物落下防止装置を提供すること。【解決手段】  収納ケースに設けられ，該収納ケースに収納された物品の取り出しを遮る遮蔽位置と，上記遮蔽位置から退避し物品の取り出しを遮らない退避位置との間で回動自在で，地震などによる揺れに感応して上記遮蔽位置へ回動する収納物落下防止部材を備えてなる収納物落下防止装置において，上記収納物落下防止部材の回動面に直角方向に揺動自在の揺動子と，上記揺動子の揺動運動の方向を上記収納物落下防止部材の回動方向に変換し，上記揺動子の揺動運動を上記収納物落下防止部材に伝達する揺動方向変換伝達手段と，を備えてなる収納物落下防止装置。【選択図】図３
2008161520.tif 000002
【特許請求の範囲】
【請求項１】
収納棚に設けられ，該収納棚に収納された物品の取り出しを遮る遮蔽位置と，上記遮蔽位置から退避し物品の取り出しを遮らない退避位置との間で回動自在で，地震などによる揺れに感応して上記遮蔽位置へ回動する揺動部材を備えてなる収納物落下防止装置において，
上記揺動部材の回動軸心方向の運動力を回動方向に変換し上記揺動部材に伝達する揺動方向変換伝達手段，
を備えてなる収納物落下防止装置。
【請求項２】
上記揺動部材の常時における停止位置を調整する感度調整手段を更に備えてなる請求項１記載の収納物落下防止装置。
【請求項３】
前記揺動方向変換伝達手段が，前記収納棚に固定された斜面部により構成され，上記斜面部が上記揺動部材の回動面に直角の方向に振動することで斜面部が揺動部材を押して揺動させるように構成されてなる請求項１或いは２のいずれかに記載の収納物落下防止装置。
【請求項４】
前記揺動方向変換伝達手段が，上記揺動部材の回動軸心方向の運動力を回動方向に変換し上記揺動部材に伝達する回転手段によって構成されてなる請求項１或いは２のいずれかに記載の収納物落下防止装置。
【請求項５】
前記揺動方向変換伝達手段が，上記揺動部材の回動軸心方向の運動力を回動方向に変換し上記揺動部材に伝達するレリーズワイヤによって構成されてなる請求項１或いは２のいずれかに記載の収納物落下防止装置。
【発明の詳細な説明】
【技術分野】
【０００１】
本発明は，薬品棚などの収納装置が地震などによって揺れた時に，収納装置に収納された薬品ビンなどの収納物が落下しないようにするための収納物落下防止装置に係り，特に，収納装置が前後だけでなく左右に揺れた場合にも敏感に反応して，収納物の落下を防止すること及び，それを少ない構成要素で安価に達成することのできる収納物落下防止装置に関するものである。
【背景技術】
【０００２】
図１は，特許文献１に開示された収納物落下防止装置の側面図である。
この従来公知の装置では，箱体１０に固定された水平のピン１４に揺動自在の落下防止具１８が取り付けられている。この落下防止具１８は，後端（図で右端部）が重いので，図示の状態において，常時時計方向に回転するように付勢されている。落下防止具１８に一体のアーム１６の先端には，紙面に垂直の落下防止バー２０が固定されている。落下防止バー２０は，図示の位置では，箱体１０の底部１０ａより低い位置にあるので，底部に置かれた薬品ビンなどを，棚の左側面の取り出し部から自由に取り出したり，載置するなどの操作をすることが出来る。このような収納物を容易に操作できる落下防止バー２０或いは落下防止具１８の位置を，以下，退避位置と記載する。
上記のような箱体１０では，通常時には，上記落下防止具１８を図示の退避位置に固定し，例えば地震などが発生して薬品ビンなどが倒れたとき，上記落下防止バー２０を箱体１０上の薬品ビンなどの物品の落下を防ぎ，物品の取り出しを遮る位置（以下，遮蔽位置と記載する）に移動させて，棚に載置された薬品ビンなどが取り出し部から落下する不都合を防止する必要がある。
【０００３】
そのため，上記従来技術では，上記落下防止具１８に水平方向の長孔１７と上記長孔１７の右端部を中心とする円弧状の長孔２２を形成して前記ピン１４を上記長孔１７に挿入し，且つ，箱体１０に固定したピン２８を上記円弧状の長孔２２の端部に形成した水平方向の切欠き２４に挿入しておく。この場合，図示のようにピン１４が長孔１７の左端にあり，ピン２８が前記切欠き２４に係合している状態では，上記ピン２８の切欠き２４との係合によって，落下防止具１８はピン１４の回りに回動することが出来ない。即ち，退避位置に固定されている。
【０００４】
この状態から，地震などの振動によって落下防止具１８が左方向に遷移すると，ピン１７が長孔１７の右端に移動すると共に，ピン２８が円弧状の長孔２２内に入るので，落下防止具１８は，ピン１４を中心としてピン２８が長孔２２内を移動できる範囲内で回動できるようになる。そして，前記落下防止具１８に常時働く時計方向への付勢力によって落下防止具１８及び落下防止バー２０は遮蔽位置まで回動し，薬品ビンなどの落下を阻止することになる。
【特許文献１】特開２００１−０３７５６７号公報
【発明の開示】
【発明が解決しようとする課題】
【０００５】
上記のように特許文献１などに記載された収納物落下防止装置は，安価な機械的な構成で，地震などによる振動を受けたときに落下防止バー２０を遮蔽位置まで移動させて，収納物の落下を阻止することができる点で優れた装置である。
しかしながら，この技術では，落下防止具１８が，地震などの振動によって落下防止バー２０に直角の方向（箱体１０の前後方向）に加振された場合は，前記のように落下防止具１８が移動することでピン２８と切欠き２４との係合が外れ，落下防止バー２０が遮蔽位置に移動することで物品の落下が防止されるが，加振方向が落下防止バー２０に沿った方向（箱体１０の横方向）であると，落下防止具１８をピン２８が切欠き２４から外れる方向に移動させることが出来ないので，落下防止機能は発揮されない。
上記のような箱体１０の横方向への加振は，前後方向への加振と比べて，棚上の物品が落ちにくいが，実際には収納棚の一例である上記箱体の横方向への加振によって薬品ビンなどが倒れ，倒れたビンなどが取り出し部から転げ落ちるということがあるので，上記のような箱体の横方向への加振に対応する物品の落下防止機能は必要である。
このような落下防止機能は，前記特許文献１に記載のような箱体の前後方向への加振に対する落下防止装置に加えて，箱体の横方向の加速度を検出する加速度センサを設け，上記横方向の振動の発生に応じて前記落下防止具１８を左方向へ移動させるアクチュエータを設ければ，箱体の前後方向と横方向のいずれの方向の加振が生じても，落下防止具１８を遮蔽位置へ回動させることが出来るようになるが，そのような加速度センサやアクチュエータを追加することは装置の価格を割高とすることになり，望ましいことではない。
従って，本発明の目的は，上記箱体を含む収納棚の前後方向への加振はもとより，横方向への加振にも感応して，収納物落下防止部材を遮蔽位置へ移動させるための装置であって，少ない構成要素で簡素な装置を提供することである。
【課題を解決するための手段】
【０００６】
上記課題を解決するため，本発明の収納物落下防止装置は，収納棚に設けられ，該収納棚に収納された物品の取り出しを遮る遮蔽位置と，上記遮蔽位置から退避し物品の取り出しを遮らない退避位置との間で回動自在で，地震などによる揺れに感応して上記遮蔽位置へ回動する揺動部材を備えてなる収納物落下防止装置において，上記揺動部材の回動軸心方向の運動力を回動方向に変換し上記揺動部材に伝達する揺動方向変換伝達手段，を備えてなる収納物落下防止装置として構成されている。
本発明において，更に上記揺動部材の常時における停止位置を調整する感度調整手段を備えるようにすることが出来る。
また，前記揺動方向変換伝達手段が，前記収納棚に取り付けられた斜面部により構成され，上記斜面部が上記揺動部材の回動面に直角の方向に振動することで斜面部が揺動部材を押して揺動させるように構成されてなるように構成することも可能である。
更に，前記揺動方向変換伝達手段が，上記揺動部材の回動軸心方向の運動力を回動方向に変換し上記揺動部材に伝達する回転手段によって構成されてなるものや，前記揺動方向変換伝達手段が，上記揺動部材の回動軸心方向の運動力を回動方向に変換し上記揺動部材に伝達するレリーズワイヤによって構成されてなるものも考えられる。
【発明の効果】
【０００７】
本発明は，上記したように，収納棚に設けられ，該収納棚に収納された物品の取り出しを遮る遮蔽位置と，上記遮蔽位置から退避し物品の取り出しを遮らない退避位置との間で回動自在で，地震などによる揺れに感応して上記遮蔽位置へ回動する揺動部材を備えてなる収納物落下防止装置において，上記揺動部材の回動軸心方向の運動力を回動方向に変換し上記揺動部材に伝達する揺動方向変換伝達手段を備えてなる収納物落下防止装置として構成されている。
従って，本発明における収納物落下防止装置では，上記揺動方向変換伝達手段という簡素な構成で，収納棚の横方向の振動に感応して収納物の落下を防止することが出来，極めて経済的である。
【０００８】
本発明において，更に上記揺動部材の常時における停止位置を調整する感度調整手段を備えるようにすれば，収納棚の長さの変化に応じて後記する落下防止バーの長さ（従って落下防止バーの重さ）が異なるなどの理由によって揺動部材の回動の感度が変化した場合にも，揺動部材の回動についての感度を自在に設定して，正確に感応することが出来る。
【０００９】
また上記のように，前記揺動方向変換伝達手段が，前記収納棚に取り付けられた斜面部により構成され，上記斜面部が上記揺動部材の回動面に直角の方向に振動することで斜面部が揺動部材を押して揺動させるように構成されてなるように構成されている場合には，楔状の斜面部を設けるだけという簡素な構成で収納物の落下を防止できるようになるので，経済的である。
【００１０】
更に，前記揺動方向変換伝達手段が，上記揺動部材の回動軸心方向の運動力を回動方向に変換し上記揺動部材に伝達する回転手段によって構成されてなるものや，前記揺動方向変換伝達手段が，上記揺動部材の回動軸心方向の運動力を回動方向に変換し上記揺動部材に伝達するレリーズワイヤによって構成されてなるものも考えられる。これらの構成であれば，収納棚の横方向の揺れを正確に揺動部材に伝達できるので，確実に収納物の落下を防止することが出来る。
【発明を実施するための最良の形態】
【００１１】
以下，本発明に係る収納物落下防止装置の具体的実施形態について図を参照して説明する。
ここに図２は，本発明の一実施形態にかかる収納物落下防止装置の全体構成を示す斜視図（落下防止装置が薬品ビンの落下を防止している状態を示す），図３は，上記実施形態にかかる落下防止装置で地震を検知していない通常状態におけるカバーを外した状態を示す斜視図，図４は，同実施形態にかかる落下防止装置で地震を検知していない通常状態におけるカバーを外した状態を示す正面図，図５は，同実施形態にかかる落下防止装置で地震を検知して，薬品ビンなどの落下を防止している状態におけるカバーを外した状態を示す正面図，図６は，同実施形態にかかる落下防止装置に用いられる揺動部材の斜視図，図７は，図３に示した縦壁単体の斜視図，図８は，図６に示した揺動部材と斜面部との位置関係を示す斜視図，図９は，図４におけるＡ−Ａ矢視図，図１０は，実施例１に係る収納物落下防止装置の要部を示す図，図１１は，実施例２に係る収納物落下防止装置の要部を示す図，図１２は，移動ブロック１０２の詳細を示す図であり，（ａ）は，正面図，（ｂ）は，側面図，（ｃ）は，（ａ）のＢ−Ｂ底面図，（ｄ）は，斜視図である。
【００１２】
図２に示すように，この落下防止装置６０は，収納棚６２の長手方向の左右端部に設けられた装置ケーシング６４，６４と，上記装置ケーシング６４から揺動自在に突出する揺動部材の一例である揺動アーム６６と，上記左右の揺動アーム６６の各先端部を連結する落下防止バー６８とを備えている点において，特許文献１に開示された従来の落下防止装置と同様である。
なお，図２では，揺動アーム６６が退避位置にあるものと，遮蔽位置にあるものとの両方が描かれているが，これは仮想のものであり，実際には，退避位置と遮蔽位置との間で，往復動しうるものである。
また上記揺動アーム６６は，図３に示すように，上記装置ケーシング６４の縦壁７０に水平に設けられた支軸７２に揺動自在に設けられており，錘部７４と一体である。上記支軸７２は，図３に明らかなごとく，その周面の一部が平面的にカットされており（いわゆるＤカットされており，この平面カット部を７２ｃと記す），この支軸７２が遊嵌された上記錘部７４の支持孔７２ａには，図３及び図４に示すように前記支軸７２の平面カット部７２ｃが嵌り込みうるＵ字状カット部７２ｂが形成されている。なお，平面カット部７２ｃは，垂直方向の面となっている。
前記装置ケーシング６４を構成する縦壁７０には，図３及び図７に示すように，縦壁７０と平行で水平方向のガイド孔８６が形成されたガイドブロック８８が固定されている。
上記ガイド孔８６には図３及び図４に示すように水平方向のネジ軸９０が，そのネジ無し部９６において中心軸周りに回転自在に取り付けられている。
上記ネジ軸９０の頭部９２は，装置ケーシング６４の側壁に形成された開口９４に対向しており，上記開口９４から挿入されたねじ回しなどによって回転可能である。
上記ネジ軸９０の上記ネジ無し部９６の両端には，止め輪９８，９８が固定されており，ネジ軸９０がねじ回しによって回転は出来るが，縦壁７０に対して相対的に水平方向（中心軸方向）に進退することが出来ないように構成されている。
上記ネジ軸９０に形成されたネジ部１００には，上記ネジ部１００と螺合することで，ネジ部１００の回転に応じてネジ軸９０の中心軸方向（縦壁７０に平行での水平の方向）に移動される移動ブロック１０２が取り付けられている。
移動ブロック１０２は長孔８２に沿って水平方向に摺動自在のスライド片７８と連動している。
移動ブロック１０２の詳細については，図１２を参照されたい。
一方，上記錘部７４の端部には当接片７６が一体に形成されており，当該接片７６は，図３に示す平常状態（地震などの振動を感知していない状態）で，上記スライド片７８に当接している。スライド片７８はネジ軸９０が挿通され、ネジなし部９６がガイドブロック８８のガイド孔８６に挿通されて、長孔８２に固定されているが、スライド片７８の固定位置は、上記ネジ軸９０をねじ回しなどによって回転することによって、縦壁７０に対して相対的に変更可能である。
【００１３】
従って，揺動アーム６６は，前記支軸７２を中心として回動自在であるが，図３或いは図４に示す平常状態において，当接片７６が前記当接片７６に当接するスライド片７８の位置に応じて上記揺動アーム６６の傾きが変化する。
図４に示す平常状態では，前記錘部７４（及び当接片７６）の重さによる揺動アーム６６の時計方向の回転力と，揺動アーム６６先端部及び落下防止バー６８の重量による反時計方向の回転力とが，揺動アーム６６の先端部及び落下防止バー６８による反時計方向の回転力がやや勝った状態で釣り合っているために，揺動アーム６６は，落下防止バー６８が収納棚６２の底面より若干下に来た物品の取り出しを遮らない図４の退避位置で停止している。
この位置から，地震などによって上記図４の紙面に平行方向（収納棚６２の前後方向）で水平の方向に揺れる力が作用すると，支軸７２がその方向に揺すられることで，錘部７４が支軸７２を中心として時計方向に若干でも回動すると，前記時計方向と反時計方向の回転力のバランスが崩れる。そして，一度このバランスが崩れて，錘部７４が時計方向に回動すると，揺動アーム６６は時計方向への回転を続け，やがて図５に示すように落下防止バー６８が図５の遮蔽位置まで上昇する。
この時，垂直方向の面を構成している前記平面カット部７２ｃと前記支持孔７２ａの周面に形成された前記Ｕ字状カット部７２ｂとの位置が一致することになる結果，平面カット部７２ｃがＵ字状カット部７２ｂに嵌りこむことになる。つまり揺動アーム６６は全体として上記平面カット部７２ｃがＵ字状カット部７２ｂに嵌りこんだ分だけ下方に移動する。このような平面カット部７２ｃがＵ字状カット部７２ｂに嵌りこむことによって揺動アーム６６は回動できない状態になるので，落下防止バー６８は，収納ケースに収納された物品の取り出しを遮る遮蔽位置において固定され，収納棚６２上の薬品ビンなどの収納棚６２からの落下が確実に防止される。
この時，どの程度の振動が加わった時に上記揺動アーム６６が図４における時計方向に回動を開始するかは，前記のように揺動アーム６６の回動が揺動アーム６６の時計方向の回転モーメントと反時計方向の回転モーメントとのバランスによって決まる。上記回転モーメントは，正常時にどの回動位置に揺動アーム６６があるかによって決定される。
また移動ブロック１０２には，図１２に示すように縦壁７０に形成された水平方向のガイド溝７０ａに嵌入されて移動ブロック１０２を水平方向に案内するガイドピン１０２ｄが左右に突出している。
更に，上記斜面部１０２ａの裏面には，前記縦壁７０に形成された水平のガイド溝７０ａに嵌入されて移動ブロック１０２を傾かないように水平に案内するガイド片１０２ｅが設けられている。
従って，揺動アーム６６の正常時における回動位置を決定するスライド片７８の位置によって揺動アーム６６の感度が決定されるが,この実施形態では，前記のように上記スライド片７８の位置は，上記ネジ軸９０をねじ回しなどによって回転することによって、調整可能であるので，このようにして揺動アーム６６の地震などの振動に対する感度が調整される。
【００１４】
以上は，装置ケーシング６４の縦壁７０が，収納棚６２の前後方向に設けられ，前記揺動アーム６６が上記収納棚６２の前後方向の面内で回動自在であるために，収納棚６２の前後方向の振動に対して装置が感応する場合の構成と作用である。
上の構成では，上記から明らかなように収納棚６２の横方向の振動に対しては積極的には作用しないが，この実施形態に係る収納物落下防止装置では，次に述べるように収納棚６２の横方向の振動に対しても感応するように構成されている。
【００１５】
このような収納棚６２の横方向の振動に感応して前記揺動アーム６６を回動させるために，この実施形態では，上記揺動アーム６６の回転軸方向の運動力を上記揺動アーム６６の回動方向に変換して上記揺動アーム６６に伝達する揺動方向変換伝達手段を備えている。
特に，以下に説明する実施形態では，前記支軸７２に多少のガタを介して取り付けられた上記揺動アーム６６そのもの，或いは収納棚に固定された壁自体が地震などによって揺動アーム６６の回転中心軸の方向に揺れた時に干渉して上記揺動を揺動アーム６６の回動運動に変換する点を特徴として構成される。
【００１６】
更に，上記縦壁７０と対向する不図示の壁には前記長孔８２と平行の水平方向の長孔（不図示）が形成されており，この長孔に図３に示したような楔部材１０２ｂが多少の摩擦を伴って摺動自在に取り付けられており，この楔部材１０２ｂの前記錘部７４と対面する面には，上記錘部７４の角部７４ａと対向する斜面部１０２ａが形成されている。
従って，上記楔部材１０２ｂを摺動させると，上記斜面部１０２ａと錘部７４の角部７４ａとの当たり方が調整される。この当たり方の調整の意義は，後述される。
【００１７】
なお，上記角部７４ａの上記斜面部１０２ａと対向する面は，斜面部１０２ａとの当たりを滑らかなものにするために。丸みを帯びたＲ面であることが望ましい。
【００１８】
上述の構成においては，図９に示すように，矢印Ｚで示す収納棚６２の横方向（揺動アーム６６の回動面に直角方向）の振動が伝達されると，上記錘部７４が，前記支持孔７２ａのガタ（遊び）に基づいて，縦壁７０に対して相対的に収納棚６２の横方向（矢印Ｚ方向）に揺れる。これは相対的な揺れであるから，上記縦壁７０が，錘部７４に対して収納棚６２が横方向に揺れ，これに伴って錘部７４が横に揺れるとも言える。
そしてこの収納棚６２に横方向の揺れが生じると，前記錘部７４の角部７４ａが前記楔部１０２ｂの前記斜面部１０２ａに衝突する。この衝突によって，錘部７４は，上記斜面部１０２ａの傾斜角度に基づき錘部７４を揺動アーム６６の回動方向に付勢しようとする矢印Ｙ方向の力を受ける。従って，上記斜面部１０２ａの傾きの向きを，揺動アーム６６を図４における時計方向に回動させようとする向きに設定しておけば，地震などの振動により揺動アーム６６に揺動アーム６６の回動面に直角方向の力（即ち，揺動アーム６６の回動中心軸の方向の力）が作用した時に，上記錘部７４（或いは縦壁７０）の揺動運動の方向（即ち，揺動アーム６６の回動中心軸の方向）が上記揺動アーム６６の回動方向に変換されて上記揺動アーム６６に伝達され，揺動アーム６６が，図４の時計方向に回動することで，落下防止バー６８が，収納物の落下を阻止する遮蔽位置に移動し，収納物の落下を阻止する。
【００１９】
上記した実施形態では，地震などの振動によって前記斜面部１０２ａに錘部７４の角部７４ａが衝突することで揺動アーム６６に回動力が付与され，落下防止バー６８が，収納物の落下を阻止する遮蔽位置に移動し，収納物の落下を阻止する。
従って，もし上記斜面部１０２ａと角部７４ａとの当たり量が小さく，両者が地震の発生にもかかわらず強く衝突しなければ揺動アーム６６は感応せず，回動しない。逆に，上記斜面部１０２ａと角部７４ａとが常時密接しているような状態であれば，収納棚６２に人が触ったといった僅かな振動によっても揺動アーム６６は感応してしまい，そのたび落下防止バー６８が，収納物の落下を阻止する遮蔽位置に移動して，作業者が薬品ビンＢなどを取り出す作業を邪魔することになる。これでは，作業の効率を阻害することになる。
そのため，この実施形態では，前記したように斜面部１０２ａを備えた楔部材１０２ｂを移動させて，楔部材１０２ｂの斜面部１０２ａと錘部７４の角部７４ａとの当たり量を調整することで，揺動アーム６６の地震に対する感度を調整することが出来るように構成されている。
即ち，上記斜面部１０２ａを備えた楔部材１０２ｂが本発明における感度調整部材の一例である。
以上の説明によって，この実施形態では，収納棚６２の前後方向及び横方向のいずれの振動を受けてもそれに感応して揺動アーム６６が回動し，収納物の落下を防止する機能が発揮されることが理解される。
【実施例１】
【００２０】
次に揺動アーム６６の該揺動アーム６６の回動面に直角方向（揺動部材６６の回動中心軸方向）の揺動運動の方向を上記揺動アーム６６の回動方向に変換して上記揺動アーム６６に伝達する揺動方向変換伝達手段が，地震などの振動によって回転する回転手段によって構成されてなる実施例について図９相当図である図１０を参照して説明する。
【００２１】
図１０に示すようにこの実施例では，支点１１０を中心に水平面内で回動可能の直角アーム１１２（回転手段の一例）が採用される。
上記直角アーム１１２は，端部１１２ａが前記錘部７４の端部７４ｂに近接して配置された第１アーム１１２ｃと，この第１アーム１１２ｃに対して上記支点１１０で直角に延設され，その端部１１２ｂに錘Ｗが固定された第２アーム１１２ｄとからなっている。
このような構成によれば，図９と同様，装置に錘部７４を主要構成とする揺動アーム６６に，図に矢印Ｚで示す揺動アーム６６に直角方向の振動が加わった場合，支点１１０が上記矢印Ｚ方向に揺すられるので，この振動によって錘Ｗが同方向に揺すられて揺動する。この錘Ｗの揺動によって直角アーム１１２は図に示す矢印Ｘ１（=Ｘ２）の方向に回転し，第１アーム１１２ｃの端部１１２ａが錘部７４の端部７４ｂに衝突して押すことで，揺動アーム６６が，図４における時計方向に回動し，落下防止バー６８及びこれと一体の揺動アーム６６が遮蔽位置に移動して固定される。
なお，この実施例に用いられた回転手段の一例である直角アーム１１２の第２アーム１１２ｄ及びその先端に取り付けられた錘Ｗを，図１０に破線で示すように錘部７４の移動方向（矢印Ｙで示される）に対して４５度の方向に設けておけば（１１２ｄ´及びＷ´で示す），地震などの加振方向が収納棚６２の横方向（矢印Ｚで示す）であっても，これに直角である収納棚６２の前後方向であっても，これらの振動に基づいて，直角アーム１１２が矢印Ｘ１或いはＸ２の方向に揺動され，錘部７４及びこれ回動されて，遮蔽位置に移動するので，上記直角アーム１１２一つでいずれの方向の振動にも対応できると共に，感度も高いので，安価で実用性の高い収納物落下防止装置を提供することが出来る。
【実施例２】
【００２２】
上記実施例１では，直角アーム１１２のような回転手段が揺動方向変換伝達手段を構成しているが，次の実施例２では，以下に述べるようにレリーズワイヤ１２２が揺動方向変換伝達手段の一例を構成している。
即ち，図９相当図である図１１に示すように，装置に対して固定されたレリーズワイヤ筒１２０は水平面内で直角に湾曲しており，このレリーズワイヤ筒１２０内に収納されレリーズ筒１２０に対して摺動自在のレリーズワイヤ１２２の一端部には錘Ｗが取り付けられている。
また上記レリーズワイヤ１２２の他端部１２２ａは，錘部７４の端部７４ｂに近接する位置にセットされている。
このような構成において，錘部７４を主構成要素とする揺動アーム６６の回動面に直角方向の（図に矢印Ｚで示す）振動が加わると，錘Ｗがその方向に振動し，錘Ｗに押されたレリーズワイヤ１２２の前記他端部１２２ａが錘部７４の端部７４ｂに衝突し，揺動アーム６６が図５に示す遮蔽位置に回動し，固定される
【００２３】
前記実施例１及び２では回転手段やレリーズワイヤといった簡単な要素を用いているので安価に実施可能であると共に，地震などの振動を揺動アーム６６に確実に伝達することが出来る。
なお，実施例１において前記第１アーム１１２ｃ或いは第２アーム１１２ｄの長さを調整することで地震に対する感度を調整することが出来る。
また実施例１については，前記支点１１０の位置を調整するなどにより端部１１２ａと錘部材７４の端部７４ｂとの距離を調整することで，実施例２については，レリーズワイヤ１２２の端部１２２ａと錘部７４の端部７４ｂとの距離を調整することで，地震に対する感度を調整することが出来る。
【実施例３】
【００２４】
前記実施形態における図３に示す楔部材１０２ｂは直接手で押して移動させることも，図１２に示す移動ブロック１０２を図３〜図５に示すネジ軸９０の回転によって移動させることも可能である。
直接手で押して移動させる場合，この移動によって楔部材１０２ｂの上記斜面部１０２ａと錘部７４の角部７４ａとの当たり方が調整されるが，この楔部材１０２ｂの手による移動を容易にするために，図８に示すように手が滑らないように，楔部材１０２ｂを移動させる取っ手１０２ｃに，手のすべりを防止するギザギザの凹凸１０２ｆを形成しておくのも効果がある。
【図面の簡単な説明】
【００２５】
【図１】特許文献１に開示された収納物落下防止装置の側面図。
【図２】本発明の一実施形態にかかる収納物落下防止装置の全体構成を示す斜視図（落下防止装置が薬品ビンの落下を防止している状態を示す）。
【図３】本発明の一実施形態にかかる落下防止装置で地震を検知していない通常状態におけるカバーを外した状態を示す斜視図。
【図４】本発明の一実施形態にかかる落下防止装置で地震を検知していない通常状態におけるカバーを外した状態を示す正面図。
【図５】本発明の一実施形態にかかる落下防止装置で地震を検知して，薬品ビンなどの落下を防止している状態におけるカバーを外した状態を示す正面図。
【図６】本発明の一実施形態にかかる落下防止装置に用いられる揺動部材の斜視図。
【図７】図３に示した縦壁単体の斜視図。
【図８】図６に示した揺動部材と斜面部との位置関係を示す斜視図。
【図９】図４におけるＡ−Ａ矢視図。
【図１０】実施例１に係る収納物落下防止装置の要部を示す図。
【図１１】実施例２に係る収納物落下防止装置の要部を示す図。
【図１２】移動ブロック１０２の詳細を示す図であり，（ａ）は，正面図，（ｂ）は，側面図，（ｃ）は，（ａ）のＢ−Ｂ底面図，（ｄ）は，斜視図。
【符号の説明】
【００２６】
６０…落下防止装置
６２…収納棚
６４…装置ケーシング
６６…揺動アーム
６８…落下防止バー
７０…縦壁
７２…支軸
７２ａ…支持孔
７２ｂ…Ｕ字状カット部
７２ｃ…平面カット部
７４…錘部
７４ａ…角部
７４ｂ…端部
７６…当接片
７８…スライド片
８２…長孔
８４…ネジ
８６…ガイド孔
８８…ガイドブロック
９０…ネジ軸
９４…開口
９６…ネジ無し部
９８…止め輪
１００…ネジ部
１０２…移動ブロック
１０２ａ…斜面部
１１０…支点
１１２…直角アーム
１１２ａ…端部
１１２ｂ…端部
１１２ｃ…第１アーム
１１２ｄ…第２アーム
１２０…レリーズワイヤ筒
１２２…レリーズワイヤ
１２２ａ…端部
Ｘ，Ｙ，Ｚ…矢印
【図１】
2008161520.tif 000003
【図２】
2008161520.tif 000004
【図３】
2008161520.tif 000005
【図４】
2008161520.tif 000006
【図５】
2008161520.tif 000007
【図６】
2008161520.tif 000008
【図７】
2008161520.tif 000009
【図８】
2008161520.tif 000010
【図９】
2008161520.tif 000011
【図１０】
2008161520.tif 000012
【図１１】
2008161520.tif 000013
【図１２】
2008161520.tif 000014